(57)【要約】  光スイッチング方法及び装置が提供される。本方法は、入力光波を受信し、入力光波がグルーピングされる必要がある場合、入力光波を光グルーピングユニットにスイッチングし、次に、グルーピングされた光波を受信し、グルーピングされた光波を、出力するために、対応する出力ポートにスイッチングすることを含む。本装置は、光スイッチングユニットと、光グルーピングユニットとを含み、光スイッチユニットの出力ポートの一部は光グルーピングユニットの入力ポートに接続され、光グルーピングユニットの出力ポートは光スイッチングユニットの入力ポートに接続され、光スイッチングユニットは光波の伝送経路を制御するために使用され、光グルーピングユニットは光波をグルーピングするために使用される。
2012509627.tif 000002
【特許請求の範囲】
【請求項１】
入力光信号を受信し、
前記入力光信号がグルーピングされる必要がある場合、前記入力光信号を光グルーピングユニットにスイッチングし、次にグルーピングされた光信号を受信し、
前記グルーピングされた光信号を、出力のために、対応する出力ポートにスイッチングすること
を含む、光スイッチング方法。
【請求項２】
前記方法は、前記入力光信号を受信した後、
前記入力光信号がサービススイッチングを必要とする場合、前記入力光信号をサービススイッチングユニットにスイッチングし、次にサービススイッチングされた光信号を受信し、
前記サービススイッチングされた光信号を、出力のために、対応する出力ポートにスイッチングすること
を更に含む、請求項１に記載の方法。
【請求項３】
前記グルーピングされた光信号を、出力のために、前記対応する出力ポートにスイッチングすることは、
前記グルーピングされた光信号の一部を前記光グルーピングユニットに送信し、
再グルーピングされた光信号を受信し、
前記グルーピングされた光信号の他の部分を、要求される出力ポート上で出力し、前記再グルーピングされた光信号を、要求される出力ポート上で出力すること
を含む、請求項１又は２に記載の方法。
【請求項４】
前記対応する出力ポート上で出力することは、
要求に応じて、前記光信号に対して、波長スイッチング、光ファイバスイッチング、及びサブ波長スイッチングのうちの少なくとも１つを実行した後、前記光信号を、前記出力ポート上で出力すること
を含む、請求項１又は２に記載の方法。
【請求項５】
光スイッチング装置によってスイッチングされた光信号を受信し、
前記光信号をグルーピングし、
グルーピングされた光信号を、前記光スイッチング装置に送信すること
を含む、光スイッチング方法。
【請求項６】
前記光スイッチング装置によってスイッチングされた、前記受信された光信号は、前記グルーピングされた光信号を含む、請求項５に記載の方法。
【請求項７】
前記グルーピングすることは、波長に応じてグルーピングすることを含む、請求項５又は６に記載の方法。
【請求項８】
前記光スイッチング装置によってスイッチングされた、グルーピングされる必要がある光信号の次元が減少した場合、遊休状態の入力及び出力ポートが解放される、
請求項５又は６に記載の方法。
【請求項９】
光スイッチングユニットと、
光グルーピングユニットと、
を備え、
前記光スイッチングユニットの出力ポートの一部は前記光グルーピングユニットの入力ポートに接続され、前記光グルーピングユニットの出力ポートは前記光スイッチングユニットの入力ポートに接続され、
前記光スイッチングユニットは光信号の伝送経路を制御するように構成され、前記光グルーピングユニットは前記光信号をグルーピングするように構成される、
光スイッチング装置。
【請求項１０】
サービススイッチングユニットを更に備え、
前記光スイッチングユニットの前記出力ポートの一部は前記サービススイッチングユニットに接続され、前記サービススイッチングユニットの出力ポートは前記光スイッチングユニットの前記入力ポートに接続され、前記サービススイッチングユニットはサービスをスイッチングするように構成される、
請求項９に記載の装置。
【請求項１１】
前記光グルーピングユニットは、少なくとも１つの光グルーピングサブユニットから形成され、
前記光グルーピングサブユニットの入力ポートは前記光スイッチングユニットの前記出力ポートに接続され、前記光グルーピングサブユニットの出力ポートは前記光スイッチングユニットの前記入力ポートに接続され、前記光グルーピングサブユニットは前記光信号をグルーピングするように構成される、
請求項９又は１０に記載の装置。
【請求項１２】
前記光グルーピングサブユニットは、前記光スイッチングユニットによってスイッチングされた、グルーピングされる必要がある光信号の次元が減少した場合、遊休状態の入力及び出力ポートを解放するように更に構成される、
請求項１１に記載の装置。
【発明の詳細な説明】
【技術分野】
【０００１】
本出願は、２００８年１１月２０日に出願された、「ＭＥＴＨＯＤ  ＡＮＤ  ＤＥＶＩＣＥ  ＦＯＲ  ＯＰＴＩＣＡＬ  ＳＷＩＴＣＨＩＮＧ（光スイッチング方法及び装置）」と題された、中国特許出願第２００８１０１７７６４６．１号の優先権を主張するものであり、当該出願はその全体が参照により本明細書中に援用される。
本発明は、通信技術の分野に関し、特に、光スイッチング方法及び装置に関する。
【背景技術】
【０００２】
現在の高密度波長分割多重（ＤＷＤＭ）技術は、１本の光ファイバが何百もの波長を収容することを可能にし、各波長は、４０Ｇビット／ｓ、又は、１００Ｇビット／ｓにも達する伝送速度を有し、１本の光ファイバの容量は、Ｔビット／ｓの大きさに達し、ネットワーク帯域幅に対する要求を満たす。同時に、ＤＷＤＭ技術は、ネットワークコスト、及び制御の複雑さを、大幅に増加させる。光ファイバ内に収容される波長の数が何百にも達するに伴って、光クロスコネクト（ＯＸＣ）内の、光ファイバスイッチング及び波長スイッチングのためのポートの数は大きく増加し、光スイッチングのコストは大幅に増加する。同時に、ＯＸＣの規模が大きければ大きいほど、ＯＸＣの制御は、より困難かつ複雑になる。ノードにおいて２０本の入力光ファイバと、２０本の出力光ファイバとが提供され、各光ファイバ内で、１００波長が同時に伝送されると仮定すると、共通のＯＸＣノードが使用される場合，２０００個の入力ポートと、２０００個の出力ポートと、２０００×２０００の光スイッチマトリクスとが必要とされ、ＯＸＣの高いコストと複雑さとがもたらされる。更に、動的フルメッシュネットワークに向けたネットワークの発展は、サービス信号の次元に対する、より高い要求を有する。ネットワークの動的かつ柔軟な特性により、波長が時間と共にディスパッチされ、そして、異なる時点において、スイッチングされる必要がある波長の次元が異なるので、サービス信号の次元に対して、より高い要求が課せられる。従って、複数の粒度及び複数の次元を実現することが可能で、拡張性を有し、かつ、柔軟にアップグレードされることが可能なスイッチング構成が、動的ネットワークの構築及び管理のために非常に重要である。
【０００３】
光ネットワーク技術の発展によってもたらされる、スイッチングコスト、及び制御の複雑さの増加の問題を解決するために、マルチ粒度光スイッチング技術が規定された。マルチ粒度光スイッチング技術は、光ファイバスイッチング、波長帯スイッチング、及び波長スイッチングを、同じ光ノード内で同時に実行することを意味する。波長帯スイッチングは、複数の波長が、一体としてスイッチングを実行するための波長帯を形成し、スイッチングのために必要とされるポートの数を減少させ、コストを低下させることを表す。同時に、３つのスイッチング粒度、すなわち、光ファイバ、波長帯、及び波長が提供され、これらは、サービス要求に応じて柔軟に調節されることが可能であるので、制御の複雑さが減少する。
【０００４】
マルチ粒度光スイッチング技術は、マルチプレクサ及びデマルチプレクサ（ＤＥＭＵＸ）ループバックを使用した光スイッチング構成によって実現されることが可能である。この解決法は、追加された／落とされた波長帯（added/dropped wavebands）及び波長を、動的にスイッチングし、トランスペアレントに伝送することが可能である。ＤＥＭＵＸループバックの各出力ポートは、サイクルパスバンド（ｃｙｃｌｅ  ｐａｓｓｂａｎｄ）を有し、従って、任意の波長帯が、単一の波長に逆多重化されることが可能である。ＤＥＭＵＸは、入力ＤＷＤＭチャネルを波長帯に分割し、波長帯を光スイッチに直接送信し、次に、光スイッチが要求に応じて波長をディスパッチする。この解決法は、光ファイバレベル、波長レベル、及び波長帯レベルのスイッチングを実現することが可能である。
【発明の概要】
【発明が解決しようとする課題】
【０００５】
しかし、実際には、全ての波長が、スイッチングのために、ＤＥＭＵＸによって、単一の波長に逆多重化される必要があるわけではない。前述の解決法によれば、ＤＥＭＵＸは、全ての波長を、単一の波長の波動に逆多重化し、波動をスイッチングユニットに送信するので、スイッチングポートが占有され、光スイッチングユニットのポートが浪費される。
【課題を解決するための手段】
【０００６】
従って、本発明は、スイッチングポートを節約するための、光スイッチング方法及び装置に関する。
【０００７】
上記の目的を達成するために、本発明の一実施形態による光スイッチング方法は、
入力光信号を受信し、
入力光信号がグルーピングされる必要がある場合、光信号を光グルーピングユニットにスイッチングし、グルーピングされた光信号を受信し、
グルーピングされた光信号を、出力のために、対応する出力ポートにスイッチングすること、
を含む技術的解決法によって実現される。
【０００８】
本発明の一実施形態は、光スイッチング装置によってスイッチングされた、光信号を受信し、
光信号をグルーピングし、
グルーピングされた光信号を、光スイッチング装置に送信すること、
を含む、別の光スイッチング方法を更に提供する。
【０００９】
本発明の一実施形態は、光スイッチングユニットと、光グルーピングユニットとを含む、光スイッチング装置を更に提供する。
【００１０】
光スイッチングユニットの出力ポートの一部は、光グルーピングユニットの入力ポートに接続され、光グルーピングユニットの出力ポートは、光スイッチングユニットの入力ポートに接続される。
【００１１】
光スイッチングユニットは、光信号の伝送経路を制御するように構成され、光グルーピングユニットは、光信号をグルーピングするように構成される。
【発明の効果】
【００１２】
この技術的解決法は、光グルーピングユニットを使用して光信号をグルーピングし、次に、光スイッチングユニットを使用して光信号をスイッチングする光スイッチング方式において、光信号が要求に応じて結合されることにより、スイッチマトリクスに対する要求が減少し、光スイッチングユニットのポートが節約されるという、有益な効果を有する。
【図面の簡単な説明】
【００１３】
【図１】本発明の第１の実施形態による装置の概略構成図である。
【図２Ａ】本発明の第１の実施形態による光スイッチングユニットの概略構成図である。
【図２Ｂ】本発明の第１の実施形態による光スイッチングユニットの概略構成図である。
【図２Ｃ】本発明の第１の実施形態による光グルーピングユニットの概略構成図である。
【図３Ａ】本発明の第２の実施形態による装置の概略構成図である。
【図３Ｂ】本発明の第２の実施形態による別の装置の概略構成図である。
【図３Ｃ】本発明の第２の実施形態による別の装置の概略構成図である。
【図４Ａ】本発明の第３の実施形態による装置の概略構成図である。
【図４Ｂ】本発明の第３の実施形態による別の装置の概略構成図である。
【図５】本発明の第４の実施形態による装置の概略構成図である。
【発明を実施するための形態】
【００１４】
本発明は、スイッチングポートを節約するための、光スイッチング方法及び装置を提供する。
【００１５】
一実施形態では、本発明は、
入力光信号を受信し、入力光信号がグルーピングされる必要がある場合、入力光信号を、光グルーピングユニットにスイッチングし、グルーピングされた光信号を受信し、グルーピングされた光信号を、出力のために、対応する出力ポートにスイッチングすること、
を含む、光スイッチング方法を提供する。
【００１６】
本方法は、入力光信号を受信した後、光スイッチングユニットによってスイッチングされた光信号が、サービススイッチングを必要とする場合、入力光信号をサービススイッチングユニットに送信し、サービススイッチングされた光信号を受信し、サービススイッチングされた光信号を、出力のために、対応する出力ポートにスイッチングすること、を更に含んでもよい。
【００１７】
グルーピングされた光信号を、対応する出力ポート上で出力することは、グルーピングされた光信号の一部を光グルーピングユニットにスイッチングし、再グルーピングされた光信号を受信し、光信号のその他の部分を、出力のために、対応する出力ポートにスイッチングし、再グルーピングされた光信号を、出力のために、対応する出力ポートにスイッチングすること、であってもよい。
【００１８】
前述の解決法の実施対象は、厳密ノンブロッキング光スイッチであってもよい。
【００１９】
別の観点から、本スイッチング方法は、
光スイッチング装置によってスイッチングされた光信号を受信し、光信号をグルーピングし、グルーピングされた光信号を、光スイッチング装置に送信すること、
を含んでもよい。
【００２０】
光スイッチング装置によってスイッチングされた光信号は、グルーピングされた光信号を含む。
【００２１】
この解決法の実施対象は、波長選択スイッチ（ＷＳＳ）であってもよい。
【００２２】
前述の実施形態による方法について、後続の実施形態による装置を参照して、更に説明する。
【００２３】
光スイッチングプロセスは、光グルーピングユニットを使用して光信号をグルーピングし、次に、光スイッチングユニットを使用して光信号をスイッチングすることによって完了する。光信号は要求に応じて結合されるため、スイッチマトリクスに対する要求が減少し、光スイッチングユニットのポートが節約される。
【００２４】
＜第１の実施形態＞
図１に示すように、本発明のこの実施形態による光スイッチング装置は、光スイッチングユニット１０２と、光グルーピングユニット１０３と、サービススイッチングユニット１０１とを含む。本発明のこの実施形態は、マルチ粒度スイッチングを背景として説明される。
【００２５】
光スイッチングユニット１０２は、光入力ポートと、光出力ポートとを有し、光出力ポートの一部は、光グルーピングユニット１０３の入力ポートに接続される。
【００２６】
光グルーピングユニット１０３は、光入力ポートと、光出力ポートとを有し、光グルーピングユニット１０３の光入力ポートは、光スイッチングユニット１０２の光出力ポートに接続され、光グルーピングユニット１０３の光出力ポートは、光スイッチングユニット１０２の光入力ポートに接続される。
【００２７】
光スイッチングユニット１０２は、光信号の伝送経路を制御するように構成される。例えば、図２Ａ及び図２Ｂに示すように、光スイッチングユニット１０２ａは、ランダムなポート上での入力及び出力機能を有し、光スイッチングユニット１０２ｂは、複数のポートから入力を受け、１つのポート上に出力する機能を有する。光グルーピングユニット１０３は、光信号をグルーピングするように構成される。例えば、図２Ｃに示すように、光グルーピングユニット１０３ａは、入力光ファイバ波長を、ランダムにグルーピングし、出力する機能を有する。図２Ｂにおける、複数のポートから入力を受け、１つのポート上に出力する機能は、光グルーピングユニット１０３ａによって実現されてもよい、ということが理解されよう。具体的な実施例としては、光信号がグルーピングされる場合、複数のポートから光信号の入力を受け、同一の出力ポートから光信号を出力することである（光信号の経路は、図２Ｃに示す経路と逆方向である）。図２Ａ及び図２Ｂにおいて矢印のない線は入力ポート又は出力ポートを表し、一方、矢印のある線は光の伝送経路（トレース）を表す。
【００２８】
以下では、本発明のこの実施形態について、粒度スイッチングのいくつかの一般的な実施方式を使用して説明する。
【００２９】
・光ファイバスイッチング：図１における、光ファイバＢの経路によって示されるように、入力光ファイバは、光スイッチングユニット１０２を介して、任意のポートから直接出力されることができる。
【００３０】
光ファイバスイッチングのフローは、次の通りである。
入力光ファイバＢ→光スイッチングユニット１０２→出力光ファイバＢ
【００３１】
・波長グルーピング及び波長スイッチング：入力光ファイバ内の波長は、光グルーピングユニット１０３を介して、ランダムにグルーピングされることができ、図１に示すように、入力光ファイバＣの波長は、グループＣ１及びＣ２にグルーピングされ、これらがそれぞれポートＯ３及びＯ４から出力され、すなわち、それぞれ出力光ファイバＣ１及び出力光ファイバＣ２から出力される。
【００３２】
波長グルーピング及び波長スイッチングのフローは、以下の通りである。
【数１】
2012509627.tif 000003
【００３３】
・サブ波長スイッチング：入力光ファイバ内の波長に対して電気クロスコネクト（ＥＸＣ）によりサービススイッチングが実行された後、波長は他のランダムな光ファイバ内にロードされる。図１に示すように、入力光ファイバＡ内の波長は、サービススイッチングユニット１０１を通過し、このサービススイッチングユニットは、波長分割多重（ＷＤＭ）−ＥＸＣ−ＷＤＭから形成されてもよく、ＷＤＭ−ＥＸＣ−ＷＤＭによるサービススイッチングの後、入力光ファイバＡ内の波長はＯ１から出力されることができるが、波長は出力のために、他のグループ内にロードされてもよいことは明らかである。
【００３４】
サブ波長スイッチングのフローは、以下の通りである。
【数２】
2012509627.tif 000004
【００３５】
この解決法から、本装置は、光グルーピングユニット１０３、及び光スイッチングユニット１０２のみを含んでいてもよい、ということがわかる。
【００３６】
光スイッチングユニット１０２は、厳密ノンブロッキング光スイッチであってもよく、単一レベル構成又はカスケード構成を有してもよく、例えば、３次元微小電気機械システム（３Ｄ  ＭＥＭＳ）の単一レベル構成であってもよい。光グルーピングユニット１０３は、任意の波長組み合わせを実現することが可能であり、１以上のＷＳＳを含んでもよく、ＷＳＳの数は、ネットワーク内の光スイッチング構成によって構成されるネットワークノードのスイッチング次元の最大数によって決定され、光スイッチングユニット１０２の規模は、ピーク時における入力光ファイバの数と、スイッチング次元の数との合計であってもよい。本発明のこの実施形態は、光スイッチングユニット１０２及び光グルーピングユニット１０３の具体的な形態を限定せず、これらの具体的な形態は、本実施形態の実施に影響を及ぼさない。
【００３７】
光ファイバスイッチングは、光スイッチングユニット１０２によって直接実行されてもよく、波長グルーピング及び波長スイッチングは、光グルーピングユニット１０３を使用したグルーピングの後に実施され、そして、波長は要求に応じて結合されるため、スイッチマトリクスに対する要求が減少する。９つの入力光ファイバ（Ｆ１、Ｆ２、．．．、Ｆ９）が提供され、入力光ファイバＦ１は時間Ｔ１において８つのグループにグルーピングされる必要があり、Ｆ２は時間Ｔ１において５つのグループにグルーピングされる必要があり、Ｆ３〜Ｆ９は順次、直接接続される必要があると仮定する。Ｆ１は時間Ｔ２において５つのグループにグルーピングされる必要があり、Ｆ２は時間Ｔ２において８つのグループにグルーピングされる必要があるため、光ファイバＦ１によって占められるグルーピングリソースは、共有のために、光ファイバＦ２に解放されることができる。ピーク時において９つの光ファイバが合計４０のグループにグルーピングされる必要がある場合、４９×４９のスイッチングユニットが必要とされるのみである。しかし、業界の解決策では、Ｆ１〜Ｆ９はＤＥＭＵＸの後に光スイッチングマトリクスに接続され、そして、例えば光ファイバにつき８０波を有するので、要求されるスイッチングユニットの規模は７２０×７２０である。本発明の解決法は、光スイッチングユニット１０２に対する規模の要求を大幅に減少させることが可能であるということがわかる。
【００３８】
光スイッチ内の内部接続の柔軟性によって、ＷＳＳの出力は、次のレベルのＷＳＳに送信されることができ、ＷＳＳの柔軟な組み合わせが実現され、様々な次元のスイッチングが実施される。
【００３９】
＜実施形態２＞
本発明の一実施形態は、光スイッチング装置を更に提供する。本発明のこの実施形態は、光グルーピングユニットの共有を背景として説明される。
【００４０】
図３Ａに示すように、この装置は、光スイッチングユニット３０２と、光グルーピングユニット３０３とを含むことができる。次元の拡張は、光グルーピングサブユニットの共有により実現される。時間Ｔ１において、光ファイバＡは９次元で出力されることが要求され、光ファイバＢは１７次元で出力されることが要求されると仮定する。図３Ｂに示すように、時間Ｔ２において、光ファイバＡは１７次元で出力されることが要求され、光ファイバＢは９次元で出力されることが要求される。図３Ｃに示すように、時間Ｔ３において、光ファイバＡは７次元で出力されることが要求され、光ファイバＢは６次元で出力されることが要求され、光ファイバＡ７と光ファイバＢ６とは１次元に結合される必要がある。
【００４１】
この実施形態において、光スイッチングユニットは、３Ｄ  ＭＥＭＳ大規模光スイッチから形成されていてよく、光グルーピングユニットは、光グルーピングサブユニットを含むことができる。光グルーピングサブユニットは、１ポートの入力、及び９次元の出力の機能を有すると仮定する。入力ポートの数及び出力ポートの数は他の値であってもよく、それらの値は本発明に対する限定とみなされないことが理解されよう。
【００４２】
時間Ｔ１において、入力光ファイバＡは光スイッチングユニットを介して光グルーピングユニット内の光グルーピングサブユニット３に入力されて、９次元の出力を形成し、同様に、光ファイバＢは、光グルーピングサブユニット１及び２を介して、１７次元の出力を形成する。
【００４３】
時間Ｔ１における接続関係は、以下の通りである。
【数３】
2012509627.tif 000005
【００４４】
時間Ｔ２において、入力光ファイバＡの出力次元の数は１７に変化し、入力光ファイバＢの出力次元の数は９に変化する。この変化は、入力光ファイバＡとＢとの間で、光スイッチングユニットと光グルーピングサブユニットとの接続を切り替えることによって実施されてもよい。
【００４５】
時間Ｔ２における接続関係は、以下の通りである。
【数４】
2012509627.tif 000006
【００４６】
時間Ｔ３において、入力光ファイバＡの出力次元の数は７に変化し、入力光ファイバＢの出力次元の数は６に変化し、Ａ７とＢ６とは１次元に結合される。光ファイバＡ及びＢの合計の出力次元は１２である。
【数５】
2012509627.tif 000007
【００４７】
更に、出力次元の数が変化した場合、光グルーピングユニットは遊休状態の光グルーピングユニットを解放してもよく、光グルーピングサブユニットを節約する目的が達成される。
【００４８】
光グルーピングサブユニットは、再グルーピングされる必要がある光信号を他の光グルーピングサブユニットに直接送信するが、これは以下の手法で実施されてもよい。光グルーピングユニットは、第１の光グルーピングサブユニットと、第２の光グルーピングサブユニットと、第３の光グルーピングサブユニットとを含む、光グルーピングサブユニットから形成される。
【００４９】
第１の光グルーピングサブユニットの入力ポートは、光スイッチングユニットの出力ポートに接続され、第１の光グルーピングサブユニットの出力ポートの一部は、第３の光グルーピングサブユニットの入力ポートに接続され、第１の光グルーピングサブユニットの出力ポートの一部は、光スイッチングユニットの入力ポートに接続される。
【００５０】
第３の光グルーピングサブユニットの入力ポートは、第１の光グルーピングサブユニットの出力ポートに接続され、第３の光グルーピングサブユニットの出力ポートの一部は、第２の光グルーピングサブユニットの入力ポートに接続され、第３の光グルーピングサブユニットの出力ポートの一部は、光スイッチングユニットの入力ポートに接続される。
【００５１】
第２の光グルーピングサブユニットの入力ポートは、第３の光グルーピングサブユニットの出力ポートに接続され、第２の光グルーピングサブユニットの出力ポートは、光スイッチングユニットの入力ポートに接続される。
【００５２】
この実施形態において、光スイッチングプロセスは、光グルーピングユニットを使用して、光信号をグルーピングし、次に、光スイッチングユニットを使用して、光信号をスイッチングすることによって完了する。光信号は要求に応じて結合されるため、スイッチマトリクスに対する要求が減少し、光スイッチングユニットのポートが節約される。更に、光グルーピングサブユニットの共有によって、光グルーピングサブユニットが節約される。
【００５３】
＜実施形態３＞
本発明の一実施形態は、光スイッチング装置を提供する。本発明のこの実施形態は、次元拡張を背景として説明される。
【００５４】
図４Ａに示すように、この装置は、光スイッチングユニット４０２と、光グルーピングユニット４０３とを含む。
【００５５】
この実施形態において、入力光ファイバＢの波長は、最初、グループＢ１及びＢ２にグルーピングされる。ここで、入力光ファイバＢの波長は、ｎ個のグループにグルーピングされる必要があると仮定すると、入力光ファイバＢは、光スイッチングユニット４０２により光グルーピングユニット４０３に入力され、光グルーピングユニット４０３は、波長をｎ個のグループにグルーピングし、次に、グルーピングされた波長を、光スイッチングユニット４０２に送信することで、光グルーピングユニット４０３はｎ個のグループを任意の出力ポートに出力することができ、出力のグルーピング及び拡張が実現される。光グルーピングユニット４０３の拡張は、光グルーピングサブユニットを拡張することによって実施される。
【００５６】
特定のフローは、以下の通りである。
【数６】
2012509627.tif 000008
【００５７】
スイッチングフローは、以下の通りである。
【数７】
2012509627.tif 000009
【００５８】
更に、スイッチング次元は、光グルーピングサブユニットによって拡張されてもよい。時間Ｔ１において、入力光ファイバＢは９次元で出力されることが要求され、時間Ｔ２において、入力光ファイバＢは１７次元で出力されることが要求されると仮定する。
【００５９】
時間Ｔ１において、図４Ａを参照すると、出力光ファイバの次元の数がｎではなく９であるということが異なっている。入力光ファイバＢは９次元で出力されることが要求され、この要求はグルーピングサブユニット１によって実現される。すなわち、入力光ファイバは、光スイッチングユニット４０２を介して、グルーピングサブユニット１に入力され、グルーピングサブユニット１は入力光ファイバを９つのグループにグルーピングし、次に、グルーピングされた光ファイバを出力のために光スイッチングユニット４０２に送信する。時間Ｔ２において、図４Ｂに示すように、光グルーピングユニット４０３は光グルーピングサブユニットから形成される。入力光ファイバＢの出力次元の数は１７に変更されるが、これは１レベルの光グルーピングサブユニット２を追加することによって実現される。第１レベルの光グルーピングサブユニット１は再グルーピングされ、即ち１グループの出力が光スイッチングユニット４０２に送信されて第２レベルの光グルーピングサブユニット２に入力され、光グルーピングサブユニット２は波長をグルーピングし、グルーピングされた波長を、１７次元の出力を実現するために、光スイッチングユニット４０２に送信する。
【００６０】
この実施形態において、光スイッチングプロセスは、光グルーピングユニットを使用して、光信号をグルーピングし、次に、光スイッチングユニットを使用して、光信号をスイッチングすることによって完了する。光信号は要求に応じて結合されるため、スイッチマトリクスに対する要求が減少し、光スイッチングユニットのポートが節約される。
【００６１】
＜実施形態４＞
本発明の一実施形態は、光スイッチング装置を更に提供する。本発明のこの実施形態は、波長ディスパッチングを背景として説明される。
【００６２】
図５に示すように、この装置は、光スイッチングユニット５０２と、光グルーピングユニット５０３と、サービススイッチングユニット５０１とを含む。入力光ファイバＢ内の波長λ１、λ２、λ３、及びλ４は、光ファイバＡにスイッチングされることが要求されると仮定する。
【００６３】
ディスパッチングプロセスは、以下の通りであってもよい。入力光ファイバＢは光スイッチングユニット５０２を介して光グルーピングユニット５０３にスイッチングされ、光グルーピングユニット５０３は光ファイバＢ内の波長を２つのグループ、すなわち、Ｂ１（λ１、λ２、λ３、及びλ４）及びＢ２（λ５、．．．、λ８０）に分割し、グルーピングされた波長を光スイッチングユニット５０２に送信し、光スイッチングユニット５０２はこれらをグルーピングし、Ｂ１（λ１、λ２、λ３、及びλ４）を、入力光ファイバＡの波長と共に出力ポートＯ１にスイッチングし、即ち波長（λ１、λ２、λ３、及びλ４）を、光ファイバＡにスイッチングする。もう一方のグループＢ２（λ５、．．．、λ８０）は、要求に応じて、他のポートを介して出力される。
【００６４】
この実施形態において、光スイッチングプロセスは、光グルーピングユニットを使用して光信号をグルーピングし、光スイッチングユニットを使用して光信号をスイッチングすることによって完了する。光信号は要求に応じて結合されるため、スイッチマトリクスに対する要求が減少し、光スイッチングユニットのポートが節約される。
【００６５】
本発明の実施形態による方法のステップの全て又は一部は、関連するハードウェアへの命令を含むプログラムによって実施されてもよいことを当業者は理解されたい。プログラムは、コンピュータ読み取り可能な記憶媒体内に記憶されてもよい。記憶媒体は、読み取り専用メモリ（ＲＯＭ）、磁気ディスク、又はコンパクトディスクであってもよい。
【００６６】
本発明の実施形態において提供される光スイッチング方法及び装置について、上記で詳細に説明した。本発明の原理及び実施を、特定の例により本明細書中で説明した。本発明の実施形態に関する説明は、本発明の方法及び核となる概念の理解を容易にするために提供されたにすぎない。当業者は、本発明の概念に従って、特定の実施及び適用範囲に関して、本発明に対して変形及び修正を行うことが可能である。従って、本明細書は、本発明を限定するものと解釈されるべきではない。
【図１】
2012509627.tif 000010
【図２Ａ】
2012509627.tif 000011
【図２Ｂ】
2012509627.tif 000012
【図２Ｃ】
2012509627.tif 000013
【図３Ａ】
2012509627.tif 000014
【図３Ｂ】
2012509627.tif 000015
【図３Ｃ】
2012509627.tif 000016
【図４Ａ】
2012509627.tif 000017
【図４Ｂ】
2012509627.tif 000018
【図５】
2012509627.tif 000019
【手続補正書】
【提出日】平成23年7月1日(2011.7.1)
【手続補正１】
【補正対象書類名】明細書
【補正対象項目名】０００１
【補正方法】変更
【補正の内容】
【０００１】
本発明は、通信技術の分野に関し、特に、光スイッチング方法及び装置に関する。
【手続補正２】
【補正対象書類名】明細書
【補正対象項目名】０００７
【補正方法】変更
【補正の内容】
【０００７】
第１の態様として、本発明の一実施形態による光スイッチング装置が提供される。光スイッチング装置は、光スイッチングユニットと、光グルーピングユニットと、を備える。
前記光スイッチングユニットの出力ポートの一部は前記光グルーピングユニットの入力ポートに接続され、前記光グルーピングユニットの出力ポートは前記光スイッチングユニットの入力ポートに接続される。
前記光スイッチングユニットは光信号の伝送経路を制御するように構成され、前記光グルーピングユニットは前記光信号をグルーピングするように構成される。  第２の態様として、本発明の一実施形態による光スイッチング方法は、
入力光信号を受信し、
入力光信号がグルーピングされる必要がある場合、光信号を光グルーピングユニットにスイッチングし、グルーピングされた光信号を受信し、
グルーピングされた光信号を、出力のために、対応する出力ポートにスイッチングすること、
を含む技術的解決法によって実現される。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
光スイッチングユニットと、
光グルーピングユニットと、
を備え、
前記光スイッチングユニットの出力ポートの一部は前記光グルーピングユニットの入力ポートに接続され、前記光グルーピングユニットの出力ポートは前記光スイッチングユニットの入力ポートに接続され、
前記光スイッチングユニットは光信号の伝送経路を制御するように構成され、前記光グルーピングユニットは前記光信号をグルーピングするように構成される、
光スイッチング装置。
【請求項２】
前記光グルーピングユニットは、少なくとも１つの光グルーピングサブユニットから形成され、
前記光グルーピングサブユニットの入力ポートは前記光スイッチングユニットの前記出力ポートに接続され、前記光グルーピングサブユニットの出力ポートは前記光スイッチングユニットの前記入力ポートに接続され、前記光グルーピングサブユニットは前記光信号をグルーピングするように構成される、
請求項１に記載の装置。
【請求項３】
前記光グルーピングサブユニットは、前記光スイッチングユニットによってスイッチングされた、グルーピングされる必要がある光信号の次元が減少した場合、遊休状態の入力及び出力ポートを解放するように更に構成される、
請求項２に記載の装置。
【請求項４】
サービススイッチングユニットを更に備え、
前記光スイッチングユニットの前記出力ポートの一部は前記サービススイッチングユニットに接続され、前記サービススイッチングユニットの出力ポートは前記光スイッチングユニットの前記入力ポートに接続され、前記サービススイッチングユニットはサービスをスイッチングするように構成される、
請求項１〜３のいずれか一項に記載の装置。
【請求項５】
入力光信号を受信し、
前記入力光信号がグルーピングされる必要がある場合、前記入力光信号を光グルーピングユニットにスイッチングし、次にグルーピングされた光信号を受信し、
前記グルーピングされた光信号を、出力のために、対応する出力ポートにスイッチングすること
を含む、光スイッチング方法。
【請求項６】
前記グルーピングされた光信号を、出力のために、前記対応する出力ポートにスイッチングすることは、
前記グルーピングされた光信号の一部を前記光グルーピングユニットに送信し、
再グルーピングされた光信号を受信し、
前記グルーピングされた光信号の他の部分を、要求される出力ポート上で出力し、前記再グルーピングされた光信号を、要求される出力ポート上で出力すること
を含む、請求項５に記載の方法。
【請求項７】
前記対応する出力ポート上で出力することは、
要求に応じて、前記光信号に対して、波長スイッチング、光ファイバスイッチング、及びサブ波長スイッチングのうちの少なくとも１つを実行した後、前記光信号を、前記出力ポート上で出力すること
を含む、請求項５又は６に記載の方法。
【請求項８】
前記方法は、前記入力光信号を受信した後、
前記入力光信号がサービススイッチングを必要とする場合、前記入力光信号をサービススイッチングユニットにスイッチングし、次にサービススイッチングされた光信号を受信し、
前記サービススイッチングされた光信号を、出力のために、対応する出力ポートにスイッチングすること
を更に含む、請求項５〜７のいずれか一項に記載の方法。
【国際調査報告】
2012509627.tif 000020
2012509627.tif 000021
2012509627.tif 000022
2012509627.tif 000023